(57)【要約】【課題】画像を記録しておく画像記録装置において、外部の装置とＵＳＢなどで接続し、使用者が必要な画像を画像記録装置から外部の装置に転送する場合に、外部の装置を変更することなく使用者が短時間で必要な画像を選択し取得できるようにすることを目的としている。【解決手段】画像を処理する外部画像処理装置と接続された画像記録装置であって、ファイルを選択する選択条件を指示する選択指示手段と、選択条件に合致したファイルを抽出しファイルリストとして保持しておくファイルリスト作成手段と、ファイルリストにある画像のみを外部画像処理装置に送信する通信手段とから構成されている。【選択図】        図１
2004336327.tif 000002
【特許請求の範囲】
【請求項１】
画像を処理する外部画像処理装置と接続された画像記録装置において、ファイルを選択する選択条件を指示する選択指示手段と、選択条件に合致したファイルを抽出しファイルリストとして保持しておくファイルリスト作成手段と、ファイルリストにある画像のみを外部画像処理装置に送信する通信手段とを備えたことを特徴とする画像記録装置。
【請求項２】
外部画像処理装置と接続中に前記選択指示手段によって選択条件が変更され、前記ファイルリスト作成手段によって新しいファイルリストが作成された場合、外部画像処理装置にその変更を通知する通知手段を備えたことを特徴とする請求項１の画像記録装置。
【請求項３】
交換可能な記録媒体を使用して画像を記録しており、かつ外部画像処理装置に記録媒体の交換を通知する機能を持つ画像記録装置において、新しいファイルリストが作成された場合、外部画像処理装置に記録媒体の交換を通知する通知手段を備えたことを特徴とする請求項１の画像記録装置。
【請求項４】
デジタル画像を撮影する撮影手段を備えたことを特徴とする請求項１、２または３の画像記録装置。
【発明の詳細な説明】
【０００１】
【発明の属する技術分野】
本発明は、デジタル画像を記録し、コンピュータなどの外部装置に接続し、画像を送信することが可能な画像記録装置に関する。
【０００２】
【従来の技術】
デジタルカメラなどで撮影したデジタル画像をコンピュータに転送する方法として、ＵＳＢ（ユニバーサル・シリアル・バス）上のＰＴＰ（ＰｉｃｔｕｒｅＴｒａｎｓｆｅｒＰｒｏｔｏｃｏｌ）による手続でファイルを転送する方法がある。
【０００３】
ＰＴＰでは、コンピュータ側の仕様によるが、コンピュータはデジタルカメラと接続すると記録している全画像のＩＤリストを要求する。デジタルカメラ側では、記録されている画像に対してＩＤを割り振り、ＩＤリストコンピュータに送信する。コンピュータ側では、受け取ったＩＤにより画像を指定して、幅や高さといった画像情報、サムネイル画像、画像本体を取得する。
【０００４】
【発明が解決しようとする課題】
画像記録装置において、画像の記録に使用される記録媒体（メモリカードなど）は年々大容量化しており、１個の記録媒体に数百枚の画像が保存されることもある。コンピュータなどの外部装置は、ＰＴＰなどの手続きを使用して画像記録装置内の画像の情報やサムネイル画像を取得し一覧を表示する。外部装置を操作している使用者は、この一覧から必要な画像を選択し、選択された画像のみ外部装置は画像記録装置から取得する。しかしながら、記録されている画像が多い場合、使用者は外部装置が一覧を表示するまでに非常に長い時間待たされる。また、一覧から必要な画像を探し出すのも容易ではない。
【０００５】
本発明は、上記のような問題を鑑みて、既存の外部表示装置の機能またはソフトウェアを変更することなしに、使用者が短時間で必要な画像を取得することを可能とする画像記録装置を提供するものである。
【０００６】
【課題を解決するための手段】
請求項１の発明は、画像を処理する外部画像処理装置と接続された画像記録装置において、ファイルを選択する選択条件を指示する選択指示手段と、選択条件に合致したファイルを抽出しファイルリストとして保持しておくファイルリスト作成手段と、ファイルリストにある画像のみを外部画像処理装置に送信する通信手段とを備えたことを特徴とする。
【０００７】
請求項２の発明は、請求項１の画像記録装置において、外部画像処理装置と接続中に前記選択指示手段によって選択条件が変更され、前記ファイルリスト作成手段によって新しいファイルリストが作成された場合、外部画像処理装置にその変更を通知する通知手段を備えたことを特徴とする。
【０００８】
請求項３の発明は、交換可能な記録媒体を使用して画像を記録しており、かつ外部画像処理装置に記録媒体の交換を通知する機能を持つ画像記録装置において、新しいファイルリストが作成された場合、外部画像処理装置に記録媒体の交換を通知する通知手段を備えたことを特徴とする。
【０００９】
請求項４の発明は、請求項１，２または３の画像記録装置において、デジタル画像を撮影する撮影手段を備えたことを特徴とする。
【００１０】
【発明の実施の形態】
（請求項１の発明の実施の形態）
以下、本発明の請求項１の実施の形態について図面を参照しながら説明する。図１は請求項１の発明の実施例である。
【００１１】
外部画像処理装置１５は、例えばパーソナルコンピュータやプリンタなど画像を表示、編集、印刷処理する機能を持つ装置を指す。画像記録装置１１は、外部画像処理装置１５とＵＳＢやＩＥＥＥ１３９４などの有線、ＩｒＤＡなどの赤外線通信、Ｂｌｕｅｔｏｏｔｈなどの無線通信といった接続線によって接続されている。また、それらの接続線上でＰＴＰなどの手続きによって、外部画像処理装置１５は画像記録装置１１から特定の画像を取得することができる。
【００１２】
外部画像処理装置１５は、画像記録装置１１が記録している画像の中から使用者が必要としている画像を選択できるようにするために、画像情報及びサムネイル画像を取得し画像記録装置１１が記録している画像を一覧表示する機能を持つ。外部画像処理装置１５を操作している使用者が一覧の中から画像を選択すると、外部画像処理装置１５は画像記録装置１１から画像を取得する。
【００１３】
ＰＴＰなどの手続きでは、接続すると画像記録装置側１１が記録している画像にＩＤを割り振り、ＩＤのリストを外部画像処理装置１５に送る。外部画像処理装置１５では、このＩＤリストを利用して画像の情報、サムネイル画像、画像本体を取得する。このとき画像記録装置１１が明示的に画像ＩＤを渡さない場合、画像は外部画像処理装置１５側から見ることができない。画像記録装置側１１で選択された画像のＩＤのみを外部画像処理装置１５に渡すことにより、外部画像処理装置１５が一覧表示する画像を画像記録装置１１側から制御することができる。
【００１４】
画像記録装置１１が備える選択指示手段１２は、画像記録装置を操作する使用者が外部画像処理装置１５に送信する画像を選択する手段である。画像の選択は、撮影日時による指定、撮影日時が新しい順に画像２０枚といった指定も行える。また、すべての画像を選択することにより、全画像を外部画像処理装置１５に送信することもできる。
【００１５】
ファイルリスト作成手段１３は、前記選択指示手段１２によって得られた選択条件によって、画像記録装置１１に記録されている全ファイル１６を検索し、その中から合致するファイルを取り出し、ファイルリスト１７を作成する。
【００１６】
通信手段１４は、外部表示装置１５からの通信要求を処理する手段である。はじめに通信手段１４はファイルリスト１７にある画像ファイルに対してのみＩＤを割り振り、ＩＤリストを外部画像処理装置１５に送信する。その後、外部表示装置１５からはＩＤで指定した画像情報の取得、サムネイル画像の取得、画像の取得などの要求が送られてくるので、通信手段１４は記録されている画像情報、サムネイル画像、画像本体を送信する。
【００１７】
（請求項２の発明の実施の形態）
以下、本発明の請求項２の実施の形態について図面を参照しながら説明する。図２は請求項２の発明の実施例である。
【００１８】
請求項１における画像記録装置において、外部画像処理装置と接続中に前記選択指示手段によって選択条件が変更され、前記ファイルリスト作成手段によって新しいファイルリストが作成された場合、外部画像処理装置にその変更を通知する通知手段２１を備えたことを特徴としており、選択指示手段１２、ファイルリスト作成手段１３、通信手段１４は請求項１の発明の実施の形態で説明した動作と同じである。
【００１９】
通知手段２１は、ファイルリスト作成手段１３によって新しいファイルリストが作成されると、外部画像処理装置１５に対してファイルリストが変更されたことを通知する。外部画像処理装置１５は、ファイルリスト変更通知を受信すると、新しい画像のＩＤリストを受信し、各ＩＤに対して画像情報及びサムネイル画像を取得し、新しい画像の一覧を表示する。
【００２０】
（請求項３の発明の実施の形態）
以下、本発明の請求項３の実施の形態について図面を参照しながら説明する。図３は請求項３の発明の実施例である。
【００２１】
請求項１における画像記録装置において、メモリカードや磁気ディスクなど交換可能な記録媒体を使用して画像を記録しており、かつ外部画像処理装置に記録媒体の交換を通知する機能を持つ画像記録装置において、新しいファイルリストが作成された場合、外部画像処理装置に記録媒体の交換を通知する通知手段を備えたことを特徴としており、選択指示手段１２、ファイルリスト作成手段１３、通信手段１４は請求項１の発明の実施の形態で説明した動作と同じである。
【００２２】
交換可能記録媒体３１を使用する画像記録装置及びそれに対応した外部画像処理装置１５では、一般的に記録媒体の交換を通知する機能を有していることが多く、その機能を利用することによって請求項２と同様の効果を得ることができる。外部画像処理装置１５は、記録媒体の交換通知（または記録媒体の取り出し通知及び挿入通知）を受信すると、画像記録装置１１から新しい記録媒体に記録された画像のＩＤのリストを受信する。そこで、通知手段３２は、ファイルリスト作成手段１３によって新しいファイルリストが作成されると、外部画像処理装置１５に対して記録媒体変更通知を出すことにより、請求項２の発明と同様に外部画像処理装置１５に新しい画像の一覧を表示させる。
【００２３】
【発明の効果】
デジタルカメラなどの使用者の多くは、画像記録装置内のすべての画像ではなく、最近の画像のみ必要とする場合が多い。上記の実施例に示したように、外部表示装置が画像記録装置から画像を取り込む際に日付などによって選択された画像のみを画像記録装置が渡すことによって、使用者の待ち時間を低減させることができる。また、選択条件を変更した場合やすべての画像を表示する場合でも、外部表示装置と画像記録装置を切断することなしに、既存の外部表示装置の機能を利用して変更を通知している。本発明によって、既存の外部表示装置の機能またはソフトウェアを変更することなしに、使用者が短時間で必要な画像を取得することを可能とする。
【図面の簡単な説明】
【図１】本発明の請求項１の実施例の構成図。
【図２】本発明の請求項２の実施例の構成図。
【図３】本発明の請求項３の実施例の構成図。
【符号の説明】
１１  画像記録装置
１２  選択指示手段
１３  ファイルリスト作成手段
１４  通信手段
１５  外部画像処理装置
１６  画像記録装置１１が記録している全画像ファイル
１７  ファイルリスト作成手段１３によって作成されたファイルリスト
２１  請求項２の通知手段
３１  交換可能な記録媒体
３２  請求項３の通知手段
【図１】
2004336327.tif 000003
【図２】
2004336327.tif 000004
【図３】
2004336327.tif 000005